(57)【要約】【課題】追記型の光ディスクを、ディスク上の欠陥にかかわらず常に記録再生可能な状態に保つ。【解決手段】使用中の管理情報記録領域ＴＤＭＡｎにディスク管理情報ＴＤＭＳを追記する余裕が無いときは、当該管理情報記録領域ＴＤＭＡｎにおける未記録領域に補填データを記録した後、次の管理情報記録領域ＴＤＭＡ［ｎ＋１]にディスク管理情報ＴＤＭＳを追記し、管理情報記録領域ＴＤＭＡｎにディスク管理情報ＴＤＭＳを追記できない記録不能領域が存在するときは、当該管理情報記録領域ＴＤＭＡｎに対するディスク管理情報ＴＤＭＳの追記を中止して、次の管理情報記録領域ＴＤＭＡ［ｎ＋１]に当該ディスク管理情報ＴＤＭＳを追記するようにした。【選択図】図４
2008146777.tif 000002
【特許請求の範囲】
【請求項１】
光ディスクにデータを記録する記録手段と、
上記光ディスクについての最新のディスク管理情報を、当該光ディスクに設けられた複数の管理情報記録領域に追記する管理情報記録手段と
を具え、
上記管理情報記録手段は、
上記複数の管理情報記録領域のうちの一の管理情報記録領域に上記ディスク管理情報を追記するための空き領域が不足しているときは、当該管理情報記録領域における未記録領域に補填データを記録した後、他の一の上記管理情報記録領域に上記ディスク管理情報を追記し、
上記一の管理情報記録領域に上記ディスク管理情報を追記できない記録不能領域が存在するときは、当該管理情報記録領域に対する上記ディスク管理情報の追記を中止して、他の一の上記管理情報記録領域に当該ディスク管理情報を追記する
ことを特徴とする光ディスク装置。
【請求項２】
上記管理情報記録手段は、
上記一の管理情報記録領域に上記ディスク管理情報を追記できない記録不能領域が存在するときは、当該管理情報記録領域における上記記録不能領域を除いた未記録領域に補填データを記録した後、他の一の上記管理情報記録領域に上記ディスク管理情報を追記する
ことを特徴とする請求項１に記載の光ディスク装置。
【請求項３】
上記ディスク管理情報は、上記光ディスクに記録されたデータの記録構造情報及び欠陥管理情報を含む
ことを特徴とする請求項１に記載の光ディスク装置。
【請求項４】
データを記録している光ディスクについての最新のディスク管理情報を、当該光ディスクに設けられた複数の管理情報記録領域に追記していく光ディスク装置の記録制御方法であって、
上記複数の管理情報記録領域のうちの一の管理情報記録領域に上記ディスク管理情報を追記するための空き領域が不足しているときは、当該管理情報記録領域における未記録領域に補填データを記録した後、他の一の上記管理情報記録領域に上記ディスク管理情報を追記するステップと、
上記一の管理情報記録領域に上記ディスク管理情報を追記できない記録不能領域が存在するときは、当該管理情報記録領域に対する上記ディスク管理情報の追記を中止して、他の一の上記管理情報記録領域に当該ディスク管理情報を追記するステップと
を具えることを特徴とする光ディスク装置の記録制御方法。
【発明の詳細な説明】
【技術分野】
【０００１】
本発明は光ディスク装置及び記録制御方法に関し、光ディスクにデータを記録する場合に適用して好適なものである。
【背景技術】
【０００２】
従来、ユーザが自在にデータを記録し得るようになされた書換可能型（リライタブル・−ＲＷ型）や追記型（ライトワンス・−Ｒ型）の光ディスクや、これに対応した光ディスク装置が広く普及している。
【０００３】
また、更なる記録容量の増大を目的として、従来のＣＤ（Compact Disc）やＤＶＤ（Digital Versatile Disc）よりも短波長の青色レーザ光（波長４０５ｎｍ）を用いるブルーレイディスク（Blu-ray Disc）（登録商標）も開発されており、当該ブルーレイディスクにも書換可能型のＢＤ−ＲＥや追記型のＢＤ−Ｒが存在する（例えば、特許文献１参照）。
【特許文献１】特願２００６−０２４２８７公報
【発明の開示】
【発明が解決しようとする課題】
【０００４】
ここでＢＤ−Ｒは、データの記録を行う際や当該ＢＤ−Ｒが光ディスク装置に装填された都度、データの記録構造やディスクの欠陥等を示すディスク管理情報（これをＴＤＭＳ（Temporary Disc Management Structureと呼ぶ）を更新し、当該更新したＴＤＭＳをディスク上の所定位置に設けられている管理情報記入領域としてのＴＤＭＡ（Temporary Disc Management Area）に追記していくよう定められている。
【０００５】
このＴＤＭＡは、ディスク内周のリードイン領域やデータ領域に複数個設けられており、それぞれＴＤＭＡｎ（ｎ＝０、１、２、……）のように通し番号が付せられている。そして、このＴＤＭＡはＴＤＭＡ０、ＴＤＭＡ１、ＴＤＭＡ２、……のように番号順に使用するとともに、各ＴＤＭＡに対してＴＤＭＳを先頭から連続して記録するよう定められている。
【０００６】
またＢＤ−Ｒには、どのＴＤＭＡが有効であるか（すなわち、どのＴＤＭＡに対してＴＤＭＳを記録すべきか）を示すＴＤＭＡアクセスインジケータ（以下、ＴＡＩと呼ぶ）を記入する領域が、ＴＤＭＡ０の先頭に確保されている。
【０００７】
光ディスク装置はＢＤ−Ｒに対してデータの記録を行う際、まずＴＤＭＡ０に対しその先頭からＴＤＭＳを記録していく。そして、当該ＴＤＭＡ０にＴＤＭＳを追記する空き領域が無くなると、当該ＴＤＭＡ０における空き領域をパディング（例えば「０」等の無意味なデータを補填する）した後、次にＴＤＭＳを記録すべきＴＤＭＡ１を示すＴＡＩ１を所定領域に記入して、当該ＴＤＭＡ１に対しその先頭からＴＤＭＳを記録していく。以下同様に、ＴＤＭＳを記録中のＴＤＭＡｎにＴＤＭＳを追記する空き領域が無くなると、当該ＴＤＭＡｎにおける空き領域をパディングした後、次にＴＤＭＳを記録すべきＴＤＭＡ[ｎ＋１]を示すＴＡＩ[ｎ＋１]を所定領域に記入した後、当該ＴＤＭＡ[ｎ＋１]にＴＤＭＳを記録していく。
【０００８】
このようにＢＤ−Ｒでは、ＴＤＭＳを記録中のＴＤＭＡにＴＤＭＳを追記するだけの空き領域が無くなった場合、残りの領域をパディングした上で、次のＴＤＭＡにＴＤＭＳを記録するよう定められている。
【０００９】
ところが、欠陥や汚れ等を原因とした記録不能領域がＴＤＭＡに存在する場合、上述した「各ＴＤＭＡに対しＴＤＭＳを先頭から連続して記録する」というルールが定められていることから、当該記録不能領域をスキップしてＴＤＭＳを記録することはできない。また、「ＴＤＭＡにＴＤＭＳを追記するだけの空き領域が無くなった場合、残りの領域をパディングする」というルールが定められていることから、当該記録不能領域以降を空白のまま次のＴＤＭＡにＴＤＭＳを記録開始することもできない。
【００１０】
このためＢＤ−ＲのＴＤＭＡに記録不能領域が発生すると、当該ＢＤ−Ｒには最新のＴＤＭＳを追記することができなくなり、これにより当該ＢＤ−Ｒにデータを記録できないばかりか、再生不能になる可能性もあるという問題があった。
【００１１】
本発明は以上の点を考慮してなされたもので、光ディスクを常に記録再生可能な状態に保ち得る光ディスク装置及び記録制御方法を提案しようとするものである。
【課題を解決するための手段】
【００１２】
かかる課題を解決するため本発明の光ディスク装置においては、光ディスクにデータを記録する記録手段と、光ディスクについての最新のディスク管理情報を、当該光ディスクに設けられた複数の管理情報記録領域に追記する管理情報記録手段とを設け、管理情報記録手段は、複数の管理情報記録領域のうちの一の管理情報記録領域にディスク管理情報を追記するための空き領域が不足しているときは、当該管理情報記録領域における未記録領域に補填データを記録した後、他の一の管理情報記録領域にディスク管理情報を追記し、一の管理情報記録領域にディスク管理情報を追記できない記録不能領域が存在するときは、当該管理情報記録領域に対するディスク管理情報の追記を中止して、他の一の管理情報記録領域に当該ディスク管理情報を追記するようにした。
【００１３】
これにより、光ディスクの管理情報記録領域に記録不能領域が存在する場合でも、当該記録不能領域に妨げられることなくディスク管理情報を確実に追記して、当該光ディスクを記録再生可能な状態に保つことができる。
【００１４】
また本発明の記録制御方法においては、データを記録している光ディスクについての最新のディスク管理情報を、当該光ディスクに設けられた複数の管理情報記録領域に追記していく光ディスク装置の記録制御方法において、複数の管理情報記録領域のうちの一の管理情報記録領域にディスク管理情報を追記するための空き領域が不足しているときは、当該管理情報記録領域における未記録領域に補填データを記録した後、他の一の管理情報記録領域にディスク管理情報を追記し、一の管理情報記録領域にディスク管理情報を追記できない記録不能領域が存在するときは、当該管理情報記録領域に対するディスク管理情報の追記を中止して、他の一の管理情報記録領域に当該ディスク管理情報を追記するようにした。
【００１５】
これにより、光ディスクの管理情報記録領域に記録不能領域が存在する場合でも、当該記録不能領域に妨げられることなくディスク管理情報を確実に追記して、当該光ディスクを記録再生可能な状態に保つことができる。
【発明の効果】
【００１６】
本発明によれば、一の管理情報記録領域にディスク管理情報を追記するための空き領域が不足しているときは、当該管理情報記録領域における未記録領域に補填データを記録した後、他の一の管理情報記録領域にディスク管理情報を追記し、一の管理情報記録領域にディスク管理情報を追記できない記録不能領域が存在するときは、当該管理情報記録領域に対するディスク管理情報の追記を中止して、他の一の管理情報記録領域に当該ディスク管理情報を追記するようにしたことにより、光ディスクの管理情報記録領域に記録不能領域が存在する場合でも、当該記録不能領域に妨げられることなくディスク管理情報を確実に追記し、かくして、光ディスクを常に記録再生可能な状態に保ち得る光ディスク装置及び記録制御方法を実現することができる。
【発明を実施するための最良の形態】
【００１７】
以下図面について、本発明の一実施の形態を詳述する。
【実施例】
【００１８】
（１）光ディスク装置の全体構成
図１において、１は全体として本発明を適用したブルーレイディスク対応の光ディスク装置を示し、装置全体を制御する制御部２に対し、コーデック部３、データバッファ４、不揮発メモリ５が接続されて構成される。
【００１９】
光ディスク装置１は、ブルーレイディスクでなる光ディスク７に対する映像の記録時において、外部から供給される映像信号をコーデック部３でリアルタイムエンコードしてストリームデータを生成し、当該ストリームデータをデータバッファ３に一時蓄積しながら光ピックアップ６に供給する。
【００２０】
記録手段としての光ピックアップ６は、供給されるストリームデータに基づいてレーザダイオード（図示せず）を駆動し、光ディスク７に対して光ビームを照射してストリームデータを記録していく。このとき制御部２は、図示しないスレッド駆動機構を制御して、光ピックアップ６から出射されるレーザ光が光ディスク７の記録面における記録アドレスに照射されるよう制御する。
【００２１】
このとき管理情報記録手段としての制御部２は、装填された光ディスク７のＴＤＭＡ０におけるＴＤＭＡアクセスインジケータ（ＴＡＩ）を参照して、現在有効な管理情報記入領域としてのＴＤＭＡを認識し、さらに当該現在有効なＴＤＭＡ内における記録済みデータの後端を検索し、当該後端に続くように、ディスク管理情報としてのＴＤＭＳを記入していく。
【００２２】
実際上光ディスク装置１の制御部２は、ＢＤ−Ｒでなる光ディスク７に対してデータの記録を行う際、図２に示すように、まずＴＤＭＡ０に対しその先頭からＴＤＭＳを記録していく。そして、当該ＴＤＭＡ０にＴＤＭＳを追記するだけの空き領域が無くなると、図３に示すように、当該ＴＤＭＡ０における空き領域をパディングした後、次にＴＤＭＳを記録すべきＴＤＭＡ１を示すＴＡＩ１をＴＤＭＡ０の所定領域に記入し、当該ＴＤＭＡ１に対しその先頭からＴＤＭＳを記録していく。
【００２３】
以下同様に、ＴＤＭＳを記録中の一の管理情報記録領域としてのＴＤＭＡｎにＴＤＭＳを追記する空き領域が無くなると、当該ＴＤＭＡｎにおける空き領域をパディングした後、次にＴＤＭＳを記録すべき他の一の管理情報記録領域としてのＴＤＭＡ[ｎ＋１]を示すＴＡＩ[ｎ＋１]を所定領域に記入した後、当該ＴＤＭＡ[ｎ＋１]にＴＤＭＳを記録していく。
【００２４】
これにより光ディスク７には、ＴＡＩで示される現在有効なＴＤＭＡにおける記録済みデータの最後部に、最新のＴＤＭＳが記入されている状態となる。そして光ディスク装置１は、ＴＡＩで示される現在有効なＴＤＭＡにおける最後部のＴＤＭＳを参照することにより、光ディスク７についての最新の記録構造や欠陥等を認識することができる。
【００２５】
（２）本発明によるＴＤＭＡ記録不能時の処理
上述したように光ディスク装置１はデータ記録時において、現在有効なＴＤＭＡに対してその先頭からＴＤＭＳを記録していき、ＴＤＭＳを追記するだけの空き領域が無くなると、残った空き領域をパディングした後、次のＴＤＭＡにＴＤＭＳを記録していく。
【００２６】
ところが、ＴＤＭＡに欠陥や汚れ等を原因とした記録不能領域が存在する場合、当該記録不能領域にはＴＤＭＳを記録できないばかりか、パディングデータすら記録することができず、これにより、上述したＴＤＭＳの記録手順（ＴＤＭＳを追記する空き領域が無くなったＴＤＭＡｎにおける空き領域をパディングした後、次のＴＤＭＳ[ｎ＋１]にＴＤＭＳを記録する）を遵守しようとすると、パディングデータを記録できない故に新たなＴＤＭＳをも記録できなくなるという問題が生じてしまう。
【００２７】
このため本発明の光ディスク装置１では、ＴＤＭＳを記録中に記録不能領域を検出した場合には、このＴＤＭＡに対するＴＤＭＳの記録を中止し、残りの領域に対するパディングを行うことなく次のＴＤＭＳにＴＤＭＳを記録するようにした。
【００２８】
すなわち光ディスク装置１の制御部２は、一の管理情報記録領域としての現在有効なＴＤＭＡｎにＴＤＭＳを記録中に記録不能領域を検出すると、当該ＴＤＭＡｎに対するＴＤＭＳの記録を中止する。
【００２９】
そして制御部２は、当該ＴＤＭＡｎに残る空き領域に対してパディングを行うことなく、次にＴＤＭＳを記録するＴＤＭＡ[ｎ＋１]を示すＴＡＩ[ｎ＋１]をＴＤＭＡ０の所定領域に記入した後、図４に示すように、記録不能領域が発生したＴＤＭＡｎに記録するはずだったＴＤＭＳを、新たに有効となった他の一の管理情報記録領域としてのＴＤＭＡ[ｎ＋１]に再度記録する。
【００３０】
この場合、記録不能領域が発生した光ディスク７における使用済みのＴＤＭＡには、パディングデータを記録されることなく残った空き領域が存在するものの、この光ディスク７を認識する際には当該空き領域は再生の障害とはならない。
【００３１】
すなわち光ディスク装置はＢＤ−Ｒでなる光ディスク７を認識する際、上述したように、まずＴＤＭＡ０におけるＴＡＩを参照して有効なＴＤＭＡを認識し、当該有効なＴＤＭＡにおける最後部のＴＤＭＳを参照することにより、光ディスク７についての最新の記録構造や欠陥等を認識する。従って、使用済みのＴＤＭＡに空き領域が存在していたとしても、光ディスク装置は当該空き領域に妨げられることなく、ＴＡＩに従って最新のＴＤＭＳを参照することができる。
【００３２】
（３）動作及び効果
以上の構成において光ディスク装置１は、ＢＤ−Ｒでなる光ディスク７に対するデータ記録時、ＴＤＭＳを記録している現在有効なＴＤＭＡｎに記録不能領域を検出すると、当該ＴＤＭＡｎに対するＴＤＭＳの記録を中止するとともに、ＴＤＭＡｎに残る空き領域に対してパディングを行うことなく、次のＴＤＭＡ[ｎ＋１]を示すＴＡＩ[ｎ＋１]をＴＤＭＡ０の所定領域に記入して当該ＴＤＭＡ[ｎ＋１]を有効にし、記録不能領域が発生したＴＤＭＡｎに記録するはずだったＴＤＭＳを、新たに有効となったＴＤＭＡ[ｎ＋１]に再度記録する。
【００３３】
これにより光ディスク装置１は、あるＴＤＭＡに記録不能領域が存在していたとしても、当該記録不能領域に妨げられることなく、次のＴＤＭＡに対してＴＤＭＳを記録することができる。
【００３４】
以上の構成によれば、ＢＤ−ＲのＴＤＭＡに記録不能領域が存在する場合でも、ＴＤＭＳを確実に追記して当該ＢＤ−Ｒを記録再生可能に保つことができる。
【００３５】
（４）他の実施の形態
なお上述の実施の形態においては、ＴＤＭＳを記録中の現在有効なＴＤＭＡｎに記録不能領域を検出した場合、当該ＴＤＭＡｎに対するＴＤＭＳの記録を中止するとともに、ＴＤＭＡｎに残る空き領域に対してパディングを行うことなく、次のＴＤＭＡ[ｎ＋１]を有効にしてＴＤＭＳを記録するようにしたが、本発明はこれに限らず、ＴＤＭＳを記録中のＴＤＭＡｎに記録不能領域を検出した場合、当該記録不能領域を除いた空き領域に対してパディングをした上で、次のＴＤＭＡ[ｎ＋１]を有効にしてＴＤＭＳを記録するようにしてもよい。
【００３６】
この場合でも、ＴＤＭＡの記録不能領域に妨げられることなく、ＴＤＭＳを確実に追記して当該ＢＤ−Ｒを記録再生可能に保つことができる。
【００３７】
さらに上述の実施の形態においては、ＢＤ−Ｒのディスク管理情報としてのＴＤＭＳを、管理情報記録領域としてのＴＤＭＡに記録する場合に本発明を適用した場合について述べたが、本発明はこれに限らず、ディスク管理情報を光ディスク上の管理情報記録領域に記録するような種々の光ディスクに適用することができる。
【産業上の利用可能性】
【００３８】
本発明は、光ディスクにデータを記録する場合に広く適用することができる。
【図面の簡単な説明】
【００３９】
【図１】光ディスク装置の全体構成を示すブロック図である。
【図２】ＴＤＭＡに対するＴＤＭＳの追記の説明に供する略線図である。
【図３】ＴＤＭＡに対するＴＤＭＳの追記の説明に供する略線図である。
【図４】記録不能領域が存在する場合のＴＤＭＳの追記の説明に供する略線図である。
【符号の説明】
【００４０】
１……光ディスク装置、２……制御部、３……コーデック部、４……データバッファ、５不揮発メモリ、６……光ピックアップ、7……光ディスク。
【図１】
2008146777.tif 000003
【図２】
2008146777.tif 000004
【図３】
2008146777.tif 000005
【図４】
2008146777.tif 000006